(57)【要約】【課題】所定の期間内においては照度と色度を一定に保つことのできる光源装置を実現する。【解決手段】  光源装置は、発せられる光の色が相互に異なる複数の光源と、複数の光源から発せられた光の光量を各別に検出する光検出部と、複数の光源に供給される電流を調整することで複数の光源から発せられる光の光量を制御する制御部とを備える。制御部は、複数の光源のそれぞれに関して目標光量及び第一閾値電流の各値を記憶しており、光検出部で検出された検出光量と目標光量とを色毎に比較して、検出光量が目標光量に一致するように複数の光源それぞれに供給される電流を調整する第一制御を行い、第一制御の実行中、少なくとも一つの光源に供給される電流が第一閾値電流を超えた場合には、第一制御の終了後に目標光量の値を低下させる第二制御を行う。【選択図】        図３
2016119150.tif 000002
【特許請求の範囲】
【請求項１】
発せられる光の色が相互に異なる複数の光源と、
前記複数の光源から発せられた光の光量を各別に検出する光検出部と、
前記複数の光源に供給される電流を調整することで前記複数の光源から発せられる光の光量を制御する制御部とを備え、
前記制御部は、
前記複数の光源のそれぞれに関して目標光量及び第一閾値電流の各値を記憶しており、
前記光検出部で検出された検出光量と前記目標光量とを色毎に比較して、前記検出光量が前記目標光量に一致するように前記複数の光源それぞれに供給される電流を調整する第一制御を行い、
前記第一制御の実行中、少なくとも一つの前記光源に供給される電流が前記第一閾値電流を超えた場合には、当該第一制御の終了後に前記複数の光源のそれぞれの前記目標光量の値を低下させる第二制御を行うことを特徴とする光源装置。
【請求項２】
前記第一閾値電流は、前記複数の光源のそれぞれにおける定格電流又は物理的特性に影響を与えない範囲内で前記複数の光源のそれぞれに供給可能な最大電流、に対応する第二閾値電流よりも低い値であることを特徴とする請求項１に記載の光源装置。
【請求項３】
前記制御部は、第一期間にわたって前記第一制御を行った後、第二期間にわたって前記第一制御を停止するというサイクルを複数回繰り返す構成であり、
前記第一閾値電流は、前記第一期間の開始時に前記光源に対して当該第一閾値電流が供給された場合に、当該第一期間内に前記光源に対して供給される電流量が前記第二閾値電流を超えないように設定されていることを特徴とする請求項２に記載の光源装置。
【請求項４】
前記制御部は、前記第二制御によって前記目標光量の値を低下させた後の前記第一制御の開始直後における前記光源に供給される電流が前記第一閾値電流以下になるように、前記第二制御における前記目標光量の値の下げ幅を設定していることを特徴とする請求項２又は３に記載の光源装置。
【請求項５】
請求項１〜４のいずれか１項に記載の光源装置と、
前記光源装置から射出された光を投射する光学系とを含むことを特徴とするプロジェクタ。
【請求項６】
発せられる光の色が相互に異なる複数の光源を含む光源装置の制御方法であって、
前記複数の光源のそれぞれに関して目標光量及び第一閾値電流の各値が記憶されており、
前記複数の光源から発せられた光の光量を各別に検出すると共に、当該検出された検出光量と前記目標光量とを色毎に比較して、前記検出光量が前記目標光量に一致するように前記複数の光源それぞれに供給する電流を調整する第一制御と、
前記第一制御の実行中、少なくとも一つの前記光源に供給される電流が前記第一閾値電流を超えた場合には、当該第一制御の終了後に前記目標光量の値を低下させる第二制御とを含むことを特徴とする光源装置の制御方法。
【発明の詳細な説明】
【技術分野】
【０００１】
本発明は光源装置に関し、特に発せられる光の色が相互に異なる複数の光源を備えた光源装置に関する。また、本発明はこのような光源装置を含むプロジェクタ並びに光源装置の制御方法に関する。
【背景技術】
【０００２】
映画やホームシアター用等に利用される投射型プロジェクタの光源として、従来のランプに代わって、ＬＥＤやレーザ素子（ＬＤ）といった固体光源を用いた装置の開発が進められている。
【０００３】
プロジェクタは、光源から射出された光を投射光学系によって遠方のスクリーンに投射することで、所望の映像を表示する機能を有する。ここで、光源から射出される光量が変化すると、観察者はスクリーンに映る映像の照度が変化したことを認識してしまう。よって、プロジェクタに利用される光源装置においては、光源から射出される光量を一定に保つ制御が通常行われる。
【０００４】
光源は経時的に劣化していくため、同じ電流量を供給していると照度が低下してしまう。そこで、例えば光量を検知するために光路の一部を分割して光の一部を取り出し、この取り出された光量が所定の光量を示すように、光源への電流量を調整するフィードバック制御が行われる。
【０００５】
ここで、従来のように光源としてランプを用いる場合には、光源からの射出光は白色光であるため、光源からの射出光量が低下したとしても単に照度が低下するだけであり、色バランスは依然として保持される。しかし、光源として固体光源を用いる場合には、色毎に異なる光源を準備する必要があり、また各光源が異なる組成や原理に基づいて発光する現象を利用しているため、色毎に劣化の程度が異なる。このため、色毎に上記フィードバック制御を行って、照度のみならず色度（色バランス）も保持させる必要がある。このような技術としては、例えば下記特許文献１に記載のものが知られている。
【先行技術文献】
【特許文献】
【０００６】
【特許文献１】特許第４７９２６６５号明細書
【発明の概要】
【発明が解決しようとする課題】
【０００７】
特許文献１には、Ｒ，Ｇ，Ｂ３色のレーザ素子で構成された複数の光源と、色毎に光出力値を検出する検出手段とを備えた光源制御装置が開示されている。この光源制御装置は、検出手段の検出結果に基づいて、前記複数の光源のそれぞれの光出力値が常に一定になるように制御を行う制御手段を備えている。上述したように、光源の劣化が進むと、目標光量の光を射出させるために光源に供給する電流量を上昇させる必要があり、制御手段はかかる制御を行っている。
【０００８】
ところで、レーザ素子等の固体光源には、所定の電流量以上の電流が供給されると物性値が変化してしまう性質を有しており、例えばこの値は定格電流値として規定されている。固体光源素子の劣化が進行すると、上記のような制御を行っていると固体光源素子への供給電流が上昇して、やがて定格電流値に達する。そして、固体光源素子に対してこの定格電流値に相当する電流量を供給しても、目標とする光量が実現できなくなる場合がある。このような状態が招来するのを回避すべく、特許文献１の装置では、あらかじめ設定された許容最大値を超えて電流が供給されるおそれのある光源があった場合に、各光源の光出力値そのものを一定にする制御から、各光源の光出力の相対的な値を一定にする制御へと自動的に切り換えるよう構成されている。このような制御により、光源が劣化して一定の照度が保てなくなった場合でも、Ｒ，Ｇ，Ｂの相対的な強度を一定に保つことができ、色度の変化を抑えることができるとされている。
【０００９】
しかしながら、特許文献１に記載の装置のように、各光源の光出力の相対値を一定に保つ制御を行った場合、色度の変化は抑制されたとしても各光源の光出力自体は一定に保たれない結果、装置の駆動中に照度が変化してしまう。このことは、例えばかかる光源装置を映像の投射機（プロジェクタ）用の光源として利用した場合に、映像の投射中に照度が低下してしまうことを意味しており、特に映画のような長期間の映像を投射する用途に利用される際には、投射映像の最初と最後で照度が異なってしまうことを意味する。
【００１０】
本発明は、上記の課題に鑑み、所定の期間内においては照度と色度を一定に保つことのできる光源装置を実現することを目的とする。また、本発明は、このような光源装置の制御方法、並びにかかる光源装置を備えたプロジェクタを提供することを目的とする。
【課題を解決するための手段】
【００１１】
上記の課題を解決すべく、本発明に係る光源装置は、
発せられる光の色が相互に異なる複数の光源と、
前記複数の光源から発せられた光の光量を各別に検出する光検出部と、
前記複数の光源に供給される電流を調整することで前記複数の光源から発せられる光の光量を制御する制御部とを備え、
前記制御部は、
前記複数の光源のそれぞれに関して目標光量及び第一閾値電流の各値を記憶しており、
前記光検出部で検出された検出光量と前記目標光量とを色毎に比較して、前記検出光量が前記目標光量に一致するように前記複数の光源それぞれに供給される電流を調整する第一制御を行い、
前記第一制御の実行中、少なくとも一つの前記光源に供給される電流が前記第一閾値電流を超えた場合には、当該第一制御の終了後に前記目標光量の値を低下させる第二制御を行うことを特徴とする。
【００１２】
制御部では、色毎に目標光量に関する値が記憶されている。そして、第一制御が実行されている間においては、光検出部で検出された光量がこの目標光量に一致するように、各光源への電流供給量が調整される。
【００１３】
ここで、上述したように、光源の劣化が進むと、検出光量を目標光量に一致させるべく当該光源に供給すべき電流量は上昇する。本発明に係る光源装置は、制御部においてこの電流量に関して、色ごとに所定の閾値（第一閾値電流）に関する情報が記憶されている。そして、第一制御を行っている間に、光源に対して供給される電流量がこの第一閾値電流を超えると、当該第一制御が終了した後に、制御部は、複数の光源それぞれの目標光量の値を低下させる制御を行う。つまり、この後においては、各光源の目標光量の値が変化する。
【００１４】
かかる構成とした場合、第一制御の実行中においては目標光量が変化しないため、この期間は照度が一定に保たれる。つまり、この光源装置を映画館の投射用光源として利用することを想定すると、一回の上映期間中は第一制御のみを実行することで、上映中に照度が低下するということはない。そして、当該上映中に、仮にいずれかの色の光源への供給電流量が第一閾値電流を超えていると、例えばこの上映終了後に目標光量を低下する制御が行われるため、次の上映期間においては、前回の上映中よりは低い目標光量の下で再び第一制御が実行される。すなわち、別々の上映期間の間で比較すれば照度は低下するものの、一の上映期間内において照度が低下することはないため、観察者が上映中に照度が低下したことを認識することはない。
【００１５】
また、少なくとも一の光源に供給される電流が第一閾値電流を超えると、当該光源のみならず、複数の光源それぞれの目標光量の値を低下させる制御が行われる。つまり、特定の色の光を発する光源に供給される電流量のみを低下させるのではなく、各光源に供給される電流量が低下されるため、目標光量の値を低下させる前と後で色度を保持することができる。つまり、異なる投射期間内において投射される映像の色度が変化するということもない。
【００１６】
なお、上記構成において、第一制御中に少なくとも一つの光源に供給される電流が第一閾値電流を超えた場合、制御部は当該第一制御の終了直後に第二制御を行うことが好ましいが、本発明はこの態様には限られない。すなわち、第一制御中に少なくとも一つの光源に供給される電流が第一閾値電流を超えた場合であっても、制御部はその後の２回又は複数回については同一の目標光量で第一制御を実行した後に、第二制御を行っても構わない。すなわち、本発明は、第一制御中に少なくとも一つの光源に供給される電流が第一閾値電流を超えた場合において、その直後に制御部が行う第一制御、又は例えば２−３回後に行う第一制御については同じ目標光量の値でもって実行し、その後、第二制御が実行されることで低下した目標光量の下で制御部が第一制御を実行する場合も権利範囲に含む。
【００１７】
ここで、第一閾値電流の値は、上述した定格電流よりは低い値に設定される。より詳細には、前記第一閾値電流は、前記複数の光源のそれぞれにおける定格電流又は物理的特性に影響を与えない範囲内で前記複数の光源のそれぞれに供給可能な最大電流、に対応する第二閾値電流よりも低い値とすることができる。
【００１８】
このように第一閾値電流の値が設定されることで、第一制御を実行している期間内においては、目標光量を出力するために光源に対して供給される電流量を上昇する制御を行っても、素子特性に影響を及ぼすような許容最大電流値（第二閾値電流）を超えないように調整できる。よって、第一制御が行われる期間内においては、各光源がそれぞれ目標光量の光を射出させることが可能となり、照度及び色度を所望の値に保持できる。
【００１９】
また、前記光源装置において、
前記制御部は、第一期間にわたって前記第一制御を行った後、第二期間にわたって前記第一制御を停止するというサイクルを複数回繰り返す構成であり、
前記第一閾値電流は、前記第一期間の開始時に前記光源に対して当該第一閾値電流が供給された場合に、当該第一期間内に前記光源に対して供給される電流量が前記第二閾値電流を超えないように設定されているものとしても構わない。
【００２０】
上記構成によれば、各第一期間内において、光源に対して供給される電流量を確実に第二閾値電流以下に設定することができる。例えば、第一期間を上映期間とすることで、各映画の上映中においては、照度と色度を確実に一定に保つことが可能となる。なお、このとき、第二期間を、ある映画の上映と別の映画の上映の間のインターバル期間とすることができる。
【００２１】
また、前記光源装置において、
前記制御部は、前記第二制御によって前記目標光量の値を低下させた後の前記第一制御の開始直後における前記光源に供給される電流が前記第一閾値電流以下になるように、前記第二制御における前記目標光量の値の下げ幅を設定しているものとしても構わない。
【００２２】
かかる構成とした場合、第二制御によって目標光量が低下された後の第一制御が開始した直後の状態では、各光源に対して供給される電流量は第一閾値電流を下回る。これにより、この第一制御が実行される期間内においては、各光源に対して供給される電流量が第二閾値電流に達することを抑制することができる。
【００２３】
また、本発明に係るプロジェクタは、
上記いずれかの特徴を有する光源装置と、前記光源装置から射出された光を投射する光学系とを含むことを特徴とする。
【００２４】
また、本発明は、発せられる光の色が相互に異なる複数の光源を含む光源装置の制御方法であって、
前記複数の光源のそれぞれに関して目標光量及び第一閾値電流の各値が記憶されており、
前記複数の光源から発せられた光の光量を各別に検出すると共に、当該検出された検出光量と前記目標光量とを色毎に比較して、前記検出光量が前記目標光量に一致するように前記複数の光源それぞれに供給する電流を調整する第一制御と、
前記第一制御の実行中、少なくとも一つの前記光源に供給される電流が前記第一閾値電流を超えた場合には、当該第一制御の終了後に前記目標光量の値を低下させる第二制御とを含むことを特徴とする。
【発明の効果】
【００２５】
本発明の光源装置によれば、光源から射出される光量が所定の目標光量に一致するように制御している期間内においては、照度と色度を一定に保つことが可能となる。このため、かかる光源装置を投射用の光源装置に利用した場合には、映像の投射中に色度や照度が低下するといった事態の招来が抑制される。
【図面の簡単な説明】
【００２６】
【図１】光源装置を含むプロジェクタの構成を模式的に示すブロック図である。
【図２】光源装置が備える制御部において行われる制御内容の一例を示すフローチャートである。
【図３】各制御期間内における各光源に対する供給電流量及び各光源の発光光量の時間的な変化を模式的に示すグラフである。
【図４】光源装置を含むプロジェクタの別の構成を模式的に示すブロック図である。
【００２７】
本発明の光源装置及びプロジェクタにつき、図面を参照して説明する。
【００２８】
図１は、本実施形態の光源装置を含むプロジェクタの構成を模式的に示すブロック図である。図１に示すプロジェクタ１０は、光源装置１と光源装置から射出された光を投射する光学系２を含む。なお、図１には、このプロジェクタ１０からの映像が投射されるスクリーン３も併せて図示されている。
【００２９】
光源装置１は、光源部１１、光検出部１２、及び制御部１３を備える。光源部１１は、赤色光を発する光源１１Ｒ、緑色光を発する光源１１Ｇ、及び青色光を発する光源１１Ｂ
を備える。各光源（１１Ｒ，１１Ｇ，１１Ｂ）は、ＬＥＤ素子やレーザダイオード素子といった固体光源素子を含む構成である。
【００３０】
なお、本実施形態では、光源部１１が３色の光を発する光源で構成されている場合について説明するが、色数については３に限定されるものではない。また、各光源が、固体光源素子に加えて公知の波長変換素子を含む構成であっても構わない。例えば、光源１１Ｇが、赤外光を発するレーザダイオード素子と、当該赤外光の波長を１／２に変換するＰＰＬＮ（Periodically Poled Lithium Niobat：周期分極反転ニオブ酸リチウム）等の波長変換素子を含んで構成されていても構わない。
【００３１】
光源部１１は、制御部１３によって駆動制御される。より詳細には、光源部１１は、各光源駆動用の電源を備えており、制御部１３によってこの電源から各光源（１１Ｒ，１１Ｇ，１１Ｂ）に対して供給される電流量を別個に制御することができる構成である。
【００３２】
光検出部１２は、各光源（１１Ｒ，１１Ｇ，１１Ｂ）から発せられた光の光量を各別に検出することができる構成である。より詳細には、光検出部１２は、光源１１Ｒから射出された光の一部を検出する光検出部１２Ｒ、光源１１Ｇから射出された光の一部を検出する光検出部１２Ｇ、及び光源１１Ｂから射出された光の一部を検出する光検出部１２Ｂを備える。
【００３３】
なお、図１に示す実施形態では、光源１１Ｒから射出された光が光学系２に向かう光路上に一部反射ミラー１４Ｒが設置され、このミラー１４Ｒを通じて反射された光が光検出部１２Ｒに向けて進行する構成である。緑色光及び青色光についても同様である。光源１１Ｇから射出された光が光学系２に向かう光路上に一部反射ミラー１４Ｇが設置され、このミラー１４Ｇを通じて反射された光が光検出部１２Ｇに向けて進行する。光源１１Ｂから射出された光が光学系２に向かう光路上に一部反射ミラー１４Ｂが設置され、このミラー１４Ｂを通じて反射された光が光検出部１２Ｂに向けて進行する。
【００３４】
このように、光検出部１２は各光源（１１Ｒ，１１Ｇ，１１Ｂ）から発せられた光の光量を各別に検出すると、この検出光量に関する情報を制御部１３に与える。制御部１３は、各光源（１１Ｒ，１１Ｇ，１１Ｂ）のそれぞれに関して、目標光量の値及び所定の閾値電流（「第一閾値電流」に対応する。）の値を記憶している。
【００３５】
以下、制御部１３によって行われる制御内容につき、図２に示すフローチャートを参照しながら説明する。
【００３６】
光源装置１の電源が入ると、制御部１３による制御が開始される。制御部１３は、まず目標光量の値を変更する必要があるかどうかの判断を行う（ステップＳ１）。ここでは、目標光量の値の変更の必要がない場合（ステップＳ１においてＮｏ）についてまず説明する。目標光量の値の変更の必要がある場合については、目標光量の値を変更するステップの後に説明される。
【００３７】
制御部１３は、色毎に記憶されている目標光量の値を読み出す（ステップＳ２Ａ）。そして、制御部１３は、光検出部１２（１２Ｒ，１２Ｇ，１２Ｂ）から色毎の検出光量の値を取得する（ステップＳ３）。そして、制御部１３は、ステップＳ２で読み出した目標光量の値と、ステップＳ３で取得された検出光量の値を色ごとに比較する（ステップＳ４）。
【００３８】
そして、制御部１３は、検出光量の値が目標光量の値に一致するように、色毎に光源（１１Ｒ，１１Ｇ，１１Ｂ）に対して供給される電流量を調整する（ステップＳ５）。すなわち、制御部１３は、色毎に検出光量の値と目標光量の値を比較し、一致していれば（ステップＳ４においてＹｅｓ）、当該色に対応する光源への供給電流量を変化させない。他方、制御部１３は、色毎に検出光量の値と目標光量の値を比較し、一致していなければ（ステップＳ４においてＮｏ）、当該色に対応する光源への供給電流量を変化させる。より詳細には、検出光量が目標光量よりも高い値を示していれば、制御部１３は対象となる光源に対する供給電流量を低下させる制御を行い、検出光量が目標光量よりも低い値を示していれば、制御部１３は対象となる光源に対する供給電流量を上昇させる制御を行う。
【００３９】
制御部１３は、各光源（１１Ｒ，１１Ｇ，１１Ｂ）に対して供給される電流量を各別に取得する（ステップＳ６）。そして、制御部１３は、色毎に記憶されている第一閾値電流量の値を読み出すと共に、ステップＳ６において色毎に取得した各光源への供給電流量との大小関係を比較する（ステップＳ７）。
【００４０】
全ての色において、各光源への供給電流量が対応する第一閾値電流以下である場合（ステップＳ７においてＹｅｓ）、制御部１３は、再びステップＳ３−Ｓ７の各ステップを繰り返し実行する。一方、少なくとも一以上の色において、光源への供給電流量が対応する第一閾値電流を上回っている場合（ステップＳ７においてＮｏ）、制御部１３は、当該色の光源については、次回の制御期間において目標光量の値を低下させる旨を記憶させると共に（ステップＳ８）、再びステップＳ３−Ｓ７の各ステップを繰り返し実行する。
【００４１】
ここで、説明のために、光源１１Ｒ、光源１１Ｇ、及び光源１１Ｂに設定されていた第一閾値電流の値が、それぞれＲＩ１、ＧＩ１、及びＢＩ１であるものとする。また、ある制御期間Ｔ１において、光源１１Ｒ、光源１１Ｇ、及び光源１１Ｂに設定されていた目標光量の値が、それぞれＲＬ１、ＧＬ１、及びＢＬ１であるものとする。そして、当該制御期間Ｔ１内における所定の時点において、光源１１Ｂに供給される電流量Ｉｂが、当該光源１１Ｂに設定されていた第一閾値電流ＢＩ１を上回った場合を想定する。また、他の光源の電流量についてはいずれも対応する第一閾値電流の値を上回っていない場合を想定する。すなわち、この制御期間Ｔ１において、光源１１Ｒに供給される電流量Ｉｒは当該光源１１Ｒに設定されていた第一閾値電流ＲＩ１を上回っておらず、光源１１Ｇに供給される電流量Ｉｇは当該光源１１Ｇに設定されていた第一閾値電流ＧＩ１を上回っていない場合を想定する。
【００４２】
上記の場合、ステップＳ８において、制御部１３は、次の制御期間（便宜上「Ｔ２」とする。）において目標光量を低下させる旨を記憶する。なお、このステップＳ８では、次の制御期間Ｔ２において目標光量を低下させることを記憶するのみであり、当該制御期間Ｔ１内においては、各光源１１Ｒ、１１Ｇ、及び１１Ｂの目標光量は依然としてそれぞれＲＬ１、ＧＬ１、及びＢＬ１のままである。
【００４３】
そして、この制御期間Ｔ１が終了し、再び光源装置１の制御が開始されると、すなわち制御期間Ｔ２が開始されると、制御部１３は、まず各光源（１１Ｒ、１１Ｇ、１１Ｂ）の目標光量の値を変更する必要があるかどうかの判断を行う（ステップＳ１）。ここでは、目標光量の値を低下させる必要があるため（ステップＳ１においてＹｅｓ）、制御部１３は、各光源（１１Ｒ、１１Ｇ、１１Ｂ）に対して現時点で設定されている目標光量の値を低下させる制御を行う（ステップＳ２Ｂ）。
【００４４】
ここで、上述した例では、制御期間Ｔ１内において、光源１１Ｂに供給される電流量Ｉｂのみが対応する第一閾値電流ＢＩ１を上回っており、他の光源（１１Ｒ，１１Ｇ）に供給される電流量（Ｉｒ，Ｉｇ）については、それぞれ対応する第一閾値電流（ＲＩ１，ＧＩ１）を上回っていない。しかし、この制御期間Ｔ２のステップＳ２Ｂにおいて、制御部１３は、全ての光源（１１Ｒ、１１Ｇ、１１Ｂ）に対して目標光量の値を低下させる制御を行う。ここで新たに設定された光源１１Ｒ、１１Ｇ、１１Ｂの目標光量の値を、それぞれＲＬ２、ＧＬ２、及びＢＬ２とする。
【００４５】
以下は、上述したのと同様に、制御部１３は、ステップＳ３−Ｓ８を実行する。
【００４６】
制御部１３がこのような制御を行うことで、所定の期間内、より詳細には、制御部１３が各光源（１１Ｒ，１１Ｇ，１１Ｂ）から射出される光量を所定の光量に保持するように制御している期間内（制御期間内）においては、照度及び色度を保持することができる点につき、図３のグラフを参照して説明する。
【００４７】
図３は、各制御期間内における各光源（１１Ｒ，１１Ｇ，１１Ｂ）に対する供給電流量及び各光源の発光光量の時間的な変化を模式的に示すグラフである。なお、ここでは、上述したように、制御期間Ｔ１において、青色の光源１１Ｂのみ供給電流量Ｉｂが第一閾値電流ＢＩ１を上回っており、他の光源については供給電流量が第一閾値電流を上回っていないものとする。これは、例えば青色の光源１１Ｂが他の光源（１１Ｒ，１１Ｇ）に比べて劣化が進んでいるような場合に対応する。
【００４８】
なお、図３では、制御期間Ｔ０、Ｔ１、Ｔ２及びＴ３について図示している。すなわち、図３では、制御期間Ｔ０では青色の光源１１Ｂについても、供給電流量Ｉｂが第一閾値電流ＢＩ１を上回らず、制御期間Ｔ１において初めて供給電流量Ｉｂが第一閾値電流ＢＩ１を上回った場合が示されている。
【００４９】
制御期間Ｔ０において、光源１１Ｂへの供給電流量Ｉｂは時間経過と共に上昇している。これは、光源１１Ｒ，１１Ｇと比べて光源１１Ｂの劣化が進行している場合に対応している。すなわち、光源（１１Ｒ，１１Ｇ，１１Ｂ）が劣化すると、同一の供給電流量の下での発光量が低下するため、目標光量（ＲＬ１，ＧＬ１，ＢＬ１）を実現するためには供給電流量を上昇しなければならない。素子の劣化は時間の経過と共に進行するため、光源１１Ｂにおいては供給電流量も時間の経過と共に上昇している。なお、光源１１Ｒ、１１Ｇについては、ほとんど素子の劣化が進行していないため、各光源に対する供給電流量（Ｉｒ，Ｉｇ）についてはほとんど一定である。
【００５０】
なお、一つの制御期間は、例えば光源装置１に対して電源を投入した時点から、電源投入を解除した時点までとすることができる。また、別の例として、プロジェクタ１０を映画の上映用に利用する場合においては、一つの制御期間を一つの映画の上映期間に設定することができる。後者の場合、例えば映画館において、制御期間Ｔ０の間に、ある映画Ｍ０が上映され、所定のインターバルを経て、次の制御期間Ｔ１の間に、別の映画Ｍ１が上映されるものとすることができる。
【００５１】
上述したように、本実施形態の例では、制御期間Ｔ１内において、光源１１Ｂへの供給電流量Ｉｂが第一閾値電流ＢＩ１を上回っている。このため、次の制御期間Ｔ２においては、全ての光源１１Ｒ、１１Ｇ、及び１１Ｂの目標光量は、それぞれ制御期間Ｔ１におけるＲＬ１、ＧＬ１、ＢＬ１から低下して、ＲＬ２、ＧＬ２、ＢＬ２に設定されている。
【００５２】
目標光量が低下すると、当然に当該光量を実現するために光源に供給すべき電流量も低下する。これは、光源１１Ｂのみに限らず、光源１１Ｒ及び光源１１Ｇについても同様である。光源１１Ｒ及び光源１１Ｇに関して、制御期間Ｔ２内での発光光量及び供給電流量が、それぞれ制御期間Ｔ１に比べて低下していることが図３に図示されている。
【００５３】
そして、光源１１Ｂについても、制御期間Ｔ２内では制御期間Ｔ１よりも供給電流量及び発光光量が低下する。ここで、本実施形態では、図３に示されるように、光源１１Ｂに供給される電流量Ｉｂが、制御期間Ｔ２内においては第一閾値電流ＢＩ１を下回っている。つまり、この場合、次の制御期間Ｔ３においては、各光源（１１Ｒ，１１Ｇ，１１Ｂ）の目標光量は、制御期間Ｔ２と同じ値に設定される。
【００５４】
そして、図３の例では、制御期間Ｔ３において、再び光源１１Ｂに供給される電流量Ｉｂが第一閾値電流ＢＩ１を上回っている。このため制御期間Ｔ３の終了後に、各光源の（１１Ｒ，１１Ｇ，１１Ｂ）の目標光量は制御期間Ｔ３から低下した値に設定される。
【００５５】
図３に示されるように、劣化した光源（ここでは光源１１Ｂ）が存在する場合、当該光源に供給される電流量の上昇速度は他の光源よりも速くなる。しかし、本実施形態の光源装置１によれば、制御期間内において光源に対して供給される電流量が第一閾値電流を超えた場合には、以後の制御期間において目標光量が低下されるため、この時点における供給電流量も低下する。この結果、光源１１Ｂに対して供給される電流量Ｉｂを第二閾値電流ＢＩ２に達しないようにすることができる。なお、劣化していない、又は劣化が進行してない光源（１１Ｒ，１１Ｇ）については、無論、供給電流量が第二閾値電流に達するということはない。
【００５６】
そして、光源装置１では、各制御期間（Ｔ０，Ｔ１，Ｔ２，Ｔ３）内においては、目標光量値は一定に保たれている。よって、制御部１３によって制御が実行されている間、より詳細には、制御部１３が各光源（１１Ｒ，１１Ｇ，１１Ｂ）から射出される光量を所定の光量に保持するように制御している期間内においては、各光源からの発光光量は一定に保たれている。よって、各制御期間内において、照度や色度が変化するということはない。
【００５７】
更に、光源装置１では、ある制御期間内（ここでは期間Ｔ１）においてある光源（ここでは光源１１Ｂ）につき、供給電流量が第一閾値電流を超えた場合、後の制御期間では、この光源のみならず、他の光源についても目標光量が低下される。これは、目標光量を変更するに当たって、各光源からの発光光量の比率を一定又は実質的に一定に保つことができることを意味している。すなわち、目標光量が変化される前後の制御期間（ここでは制御期間Ｔ１とＴ２）にわたって、色度を保持することができる。
【００５８】
この制御方法によれば、制御期間Ｔ１と制御期間Ｔ２とでは、発光光量が異なるため、プロジェクタ１０として利用した場合に、スクリーン３上に投射される画像の照度は異なる。ただし、各制御期間を例えば映画の上映期間に対応させた場合、本発明のプロジェクタ１０によれば、映画の上映中に画像の照度が変化するということはないため、従来の構成と違って、観察者が上映中に照度が低下したことを認識することはない。
【００５９】
なお、上述したように、第一閾値電流（ＲＩ１，ＧＩ１，ＢＩ１）に関する情報は、予め制御部１３が記憶しているものとして構わない。ここで、各第一閾値電流の値は、各光源（１１Ｒ，１１Ｇ，１１Ｂ）が劣化した場合における供給電流量の上昇速度と、想定される制御期間（Ｔ１，Ｔ２等）の長さに応じて予め設定されているものとすることができる。例えば、光源装置１をプロジェクタ３用の光源として、このプロジェクタ３を映画館で利用する場合、各制御期間は上述したように１回の映画の上映時間に対応する。そして、映画の上映時間は、一般的におおよその範囲内（例えば１．５時間以上４時間以内）で構成される。よって、制御期間の開始直後において、光源に対する供給電流量が第一閾値電流の値であった場合に、制御期間の終了時点において、当該光源に対する供給電流量が第二閾値電流以下に収まるよう、第一閾値電流の値を設定するのが好ましい。
【００６０】
更に、ステップＳ２Ｂにおける各光源（１１Ｒ，１１Ｇ，１１Ｂ）の目標光量の低下幅としては、例えば低下した目標光量の下で制御が開始された直後における光源に供給される電流が第一閾値電流以下になるように設定されるのが好ましい。かかる構成とすることで、新たな目標光量によって、劣化した光源への供給電流量を、第二閾値電流に近づけない範囲ように低下させることができるためである。
【００６１】
なお、図１に示すプロジェクタ１０が備える光学系２の構成は、公知の光学系を用いることができる。一例として、プロジェクタ１０は、各光源（１１Ｒ，１１Ｇ，１１Ｂ）からの射出光を光画像にする空間変調素子２１（２１Ｒ，２１Ｇ，２１Ｂ）と、各空間変調素子２１から射出された光画像を合成する色合成光学系２２と、色合成光学系２２から射出された光画像を拡大してスクリーン３に投射する投射光学系２３とを備えて構成される。なお、空間変調素子２１は、例えばデジタルマイクロミラーデバイスや液晶表示デバイスで構成され、色合成光学系２２は例えばダイクロイックプリズム等の色合成プリズムで構成され、投射光学系２３は例えば投射レンズで構成される。
【００６２】
なお、上述した実施形態では、青色の光源１１Ｂのみ劣化が進行している場合を採り上げて説明したが、他の色についても同様の議論が可能であるため、説明を省略する。
【００６３】
［別実施形態］
以下において、別実施形態につき説明する。
【００６４】
〈１〉  図４に示すように、光検出部１２（１２Ｒ，１２Ｇ，１２Ｂ）が、対象とする色の光を透過して、他の色の光を透過しないフィルタ（１６Ｒ，１６Ｇ，１６Ｂ）を備える構成とすることができる。そして、この場合において、光源装置１は、ダイクロイックミラー１５Ｒ，１５Ｇ及び一部反射ミラー１４Ｂを備えることで、各光源（１１Ｒ，１１Ｇ，１１Ｂ）からの射出光の一部が重ね合わせられた状態で光検出部１２へと進行するものとしても構わない。この場合においても、光検出部１２Ｒ，１２Ｇ，１２Ｂはそれぞれ光源１１Ｒ，１１Ｇ，１１Ｂからの射出光量に対応した光の量を検知することができる。
【００６５】
〈２〉上述した実施形態では、制御期間Ｔ１において光源１１Ｂに供給される電流量が第一閾値電流ＢＩ１を超過した場合につき、次の制御期間Ｔ２において、各光源１１Ｒ、１１Ｇ、１１Ｂの目標光量を、制御期間Ｔ１より低下させる場合について説明した。制御部１３においては、このような制御を行うことが好ましいが、本発明に係る光源装置１が行う制御内容はこの態様に限られない。例えば、上記の例では、制御期間Ｔ１において光源１１Ｂに供給される電流量が第一閾値電流ＢＩ１を超過しているが、直後の制御期間Ｔ２ではなく、その次の制御期間Ｔ３や又はそれより数回後の制御期間内において、はじめて目標光量を低下させても構わない。
【符号の説明】
【００６６】
１      ：    光源装置
２      ：    光学系
３      ：    スクリーン
１０      ：    プロジェクタ
１１      ：    光源部
１１Ｒ，１１Ｇ，１１Ｂ      ：    光源
１２      ：    光検出部
１２Ｒ，１２Ｇ，１２Ｂ      ：    光検出部
１３      ：    制御部
１４Ｒ，１４Ｇ，１４Ｂ      ：    一部反射ミラー
１５Ｒ，１５Ｇ              ：    ダイクロイックミラー
１６Ｒ，１６Ｇ，１６Ｂ      ：    フィルタ
２１      ：    空間変調素子
２１Ｒ，２１Ｇ，２１Ｂ      ：    空間変調素子
２２      ：    色合成光学系
２３      ：    投射光学系
【図１】
2016119150.tif 000003
【図２】
2016119150.tif 000004
【図３】
2016119150.tif 000005
【図４】
2016119150.tif 000006